(57)【特許請求の範囲】
【請求項１】
クライアント信号をＯＴＮフレームに収容または多重して伝送し、受信した前記ＯＴＮフレームから、収容または多重された前記クライアント信号を出力する伝送システムにおけるクライアントクロック再生装置であって、
前記クライアント信号を前記ＯＴＮフレームに収容または多重して伝送する送信側において、
前記クライアント信号のクロックおよびデータを再生する第１の再生部と、
前記第１の再生部で再生されたクロックを計測し、前記クロックの周波数情報を生成する周波数情報生成部と、
前記クライアント信号をＯＴＮフレームに収容するマッピング処理部と、
前記ＯＴＮフレームのオーバヘッドに前記周波数情報を挿入するオーバヘッド挿入部とを備え、
受信した前記ＯＴＮフレームから、収容または多重された前記クライアント信号を出力する受信側において、
受信した前記ＯＴＮフレームのクロックおよびデータを再生する第２の再生部と、
前記ＯＴＮフレームのオーバヘッドから前記周波数情報を取得する周波数情報取得部と、
前記周波数情報を用いてクライアント信号のクロックを再生するクライアントクロック再生部と、
前記再生されたクライアント信号のクロックを用いて、前記ＯＴＮフレームからクライアント信号を復元するデマッピング処理部と、
を備え、
前記周波数情報生成部は、予め決められたフレーム数分のＯＴＮフレームのクロックを計測して保持し、前記フレーム数で平均化したクロックをクライアント信号の周波数情報として出力する
ことを特徴とするクライアントクロック再生装置。
【請求項２】
クライアント信号をＯＴＮフレームに収容または多重して伝送し、受信した前記ＯＴＮフレームから、収容または多重された前記クライアント信号を出力する伝送システムにおけるクライアントクロック再生装置であって、
前記クライアント信号を前記ＯＴＮフレームに収容または多重して伝送する送信側において、
前記クライアント信号のクロックおよびデータを再生する第１の再生部と、
前記第１の再生部で再生されたクロックを計測し、前記クロックの周波数情報を生成する周波数情報生成部と、
前記クライアント信号をＯＴＮフレームに収容するマッピング処理部と、
前記ＯＴＮフレームのオーバヘッドに前記周波数情報を挿入するオーバヘッド挿入部と
を備え、
受信した前記ＯＴＮフレームから、収容または多重された前記クライアント信号を出力する受信側において、
受信した前記ＯＴＮフレームのクロックおよびデータを再生する第２の再生部と、
前記ＯＴＮフレームのオーバヘッドから前記周波数情報を取得する周波数情報取得部と、
前記周波数情報を用いてクライアント信号のクロックを再生するクライアントクロック再生部と、
前記再生されたクライアント信号のクロックを用いて、前記ＯＴＮフレームからクライアント信号を復元するデマッピング処理部と、
を備え、
前記周波数情報生成部は、予め決められたフレーム数分のＯＴＮフレームのクロックを計測し、計測したクロック数に重みづけ係数を乗算し、前記重みづけされたクロック数の総和を前記フレーム数で除算して前記周波数情報を生成する
ことを特徴とするクライアントクロック再生装置。
【請求項３】
前記送信側は、
前記クライアント信号の種別を識別するクライアント信号識別部と、
前記クライアント信号の種別に応じて周波数情報生成機能を切換える周波数情報生成機能切替部と、をさらに備え、
前記周波数情報生成部は、クライアント信号の種別に応じて異なる周波数情報生成機能を複数有しており、前記周波数情報生成機能切替部からの切替指示に応じたクライアント信号の種別に対応する周波数情報生成機能によって周波数情報を生成し、
前記受信側は、
前記ＯＴＮフレームのオーバヘッドからクライアント信号の種別を識別する信号を取得するクライアント信号種別取得部、をさらに備え、
前記クライアントクロック再生部は、クライアント信号の種別に応じて異なる周波数情報生成機能を複数有しており、前記クライアント信号種別取得部が取得したクライアント信号の種別に対応する再生機能を用いて再生する、
ことを特徴とする請求項１または請求項２記載のクライアントクロック再生装置。
【請求項４】
前記周波数情報生成部は、
クライアントクロックを２分岐し、一方に遅延を与え、他方と位相比較を行うことで周波数情報を取得する遅延検波部、
を備えたことを特徴とする請求項１から請求項３のいずれか１項に記載のクライアントクロック再生装置。
【請求項５】
前記周波数情報生成部は、
前記第１の再生部で再生されたクロックと前記ＯＴＮフレームの同期クロックとの位相を比較して周波数情報を生成する
ことを特徴とする請求項１または請求項２に記載のクライアントクロック再生装置。
【請求項６】
クライアント信号をＯＴＮフレームに収容または多重して伝送し、受信した前記ＯＴＮフレームから、収容または多重された前記クライアント信号を出力する伝送システムにおけるクライアントクロック再生装置であって、
前記クライアント信号を前記ＯＴＮフレームに収容または多重して伝送する送信側において、
前記クライアント信号のクロックおよびデータを再生する第１の再生部と、
前記クライアント信号をＯＴＮフレームに収容するマッピング処理部と、
を備え、
受信した前記ＯＴＮフレームから、収容または多重された前記クライアント信号を出力する受信側において、
受信した前記ＯＴＮフレームのクロックおよびデータを再生する第２の再生部と、
前記第２の再生部で再生されたクロックを計測し、前記クロックの周波数情報を生成する周波数情報生成部と、
前記周波数情報を用いてクライアント信号のクロックを再生するクライアントクロック再生部と、
前記再生されたクライアント信号のクロックを用いて、前記ＯＴＮフレームからクライアント信号を復元するデマッピング処理部と、
を備え、
前記周波数情報生成部は、予め決められたフレーム数分のＯＴＮフレームのクロックを計測して保持し、前記フレーム数で平均化したクロックをクライアント信号の周波数情報として出力する
ことを特徴とするクライアントクロック再生装置。
【請求項７】
クライアント信号をＯＴＮフレームに収容または多重して伝送し、受信した前記ＯＴＮフレームから、収容または多重された前記クライアント信号を出力する伝送システムにおけるクライアントクロック再生装置であって、
前記クライアント信号を前記ＯＴＮフレームに収容または多重して伝送する送信側において、
前記クライアント信号のクロックおよびデータを再生する第１の再生部と、
前記クライアント信号をＯＴＮフレームに収容するマッピング処理部と、
を備え、
受信した前記ＯＴＮフレームから、収容または多重された前記クライアント信号を出力する受信側において、
受信した前記ＯＴＮフレームのクロックおよびデータを再生する第２の再生部と、
前記第２の再生部で再生されたクロックを計測し、前記クロックの周波数情報を生成する周波数情報生成部と、
前記周波数情報を用いてクライアント信号のクロックを再生するクライアントクロック再生部と、
前記再生されたクライアント信号のクロックを用いて、前記ＯＴＮフレームからクライアント信号を復元するデマッピング処理部と、
を備え、
前記周波数情報生成部は、予め決められたフレーム数分のＯＴＮフレームのクロックを計測し、計測したクロック数に重みづけ係数を乗算し、前記重みづけされたクロック数の総和を前記フレーム数で除算して前記周波数情報を生成する
ことを特徴とするクライアントクロック再生装置。
【請求項８】
前記周波数情報生成部は、
前記第２の再生部で再生されたクロックと前記ＯＴＮフレームの同期クロックとの位相を比較して周波数情報を生成する
ことを特徴とする請求項６または請求項７に記載のクライアントクロック再生装置。
【請求項９】
クライアント信号をＯＴＮフレームに収容または多重して伝送し、受信した前記ＯＴＮフレームから、収容または多重された前記クライアント信号を出力する伝送システムにおけるクライアントクロック再生方法であって、
前記クライアント信号を前記ＯＴＮフレームに収容または多重して伝送する送信側において、
前記クライアント信号のクロックおよびデータを再生するステップと、
前記再生されたクロックを計測し、前記クロックの周波数情報を生成するステップと、
前記クライアント信号をＯＴＮフレームに収容するステップと、
前記ＯＴＮフレームのオーバヘッドに前記周波数情報を挿入するステップと、
受信した前記ＯＴＮフレームから、収容または多重された前記クライアント信号を出力する受信側において、
受信した前記ＯＴＮフレームのクロックおよびデータを再生するステップと、
前記ＯＴＮフレームのオーバヘッドから前記周波数情報を取得するステップと、
前記周波数情報を用いてクライアント信号のクロックを再生するステップと、
前記再生されたクライアント信号のクロックを用いて、前記ＯＴＮフレームからクライアント信号を復元するステップと、
を備え、
前記周波数情報を生成するステップでは、予め決められたフレーム数分のＯＴＮフレームのクロックを計測して保持し、前記フレーム数で平均化したクロックをクライアント信号の周波数情報として出力する
ことを特徴とするクライアントクロック再生方法。
【請求項１０】
クライアント信号をＯＴＮフレームに収容または多重して伝送し、受信した前記ＯＴＮフレームから、収容または多重された前記クライアント信号を出力する伝送システムにおけるクライアントクロック再生方法であって、
前記クライアント信号を前記ＯＴＮフレームに収容または多重して伝送する送信側において、
前記クライアント信号のクロックおよびデータを再生するステップと、
前記再生されたクロックを計測し、前記クロックの周波数情報を生成するステップと、
前記クライアント信号をＯＴＮフレームに収容するステップと、
前記ＯＴＮフレームのオーバヘッドに前記周波数情報を挿入するステップと、
受信した前記ＯＴＮフレームから、収容または多重された前記クライアント信号を出力する受信側において、
受信した前記ＯＴＮフレームのクロックおよびデータを再生するステップと、
前記ＯＴＮフレームのオーバヘッドから前記周波数情報を取得するステップと、
前記周波数情報を用いてクライアント信号のクロックを再生するステップと、
前記再生されたクライアント信号のクロックを用いて、前記ＯＴＮフレームからクライアント信号を復元するステップと、
を備え、
前記周波数情報を生成するステップでは、予め決められたフレーム数分のＯＴＮフレームのクロックを計測し、計測したクロック数に重みづけ係数を乗算し、前記重みづけされたクロック数の総和を前記フレーム数で除算して前記周波数情報を生成する
ことを特徴とするクライアントクロック再生方法。
【発明の詳細な説明】
【技術分野】
【０００１】
本発明は、フレーム形式で伝送されるＯＴＮ信号からクライアント信号を取り出すデマッピング技術に関する。特に、クライアント信号の周波数情報を伝達し、その周波数情報をもとにクライアント信号を出力するためのクライアントクロック再生装置に関する。
【背景技術】
【０００２】
２００１年に光トランスポートシステムの基本プラットフォームとしてＯＴＮ（Optical Transport Network）が国際標準機関ＩＴＵ−Ｔにより標準化された（非特許文献１参照）。ＯＴＮにはＷＤＭ（Wavelength Division Multiplexing）システムにおける光パスの概念を取り入れた運用・管理方式が取り入れられ、誤り訂正技術を導入することにより経済的な光トランスポートシステムの構築が可能になった。
ＯＴＮ規定当初はビットレートにあわせて、ＯＴＵ１（Optical Channel Transport Unit、２．５Ｇ）、ＯＴＵ２（１０Ｇ）、ＯＴＵ３（４０Ｇ）の３種類のビットレートが規定され、これらは基幹ネットワークに広く普及しているＳＤＨ（Synchronous Digital Hierarchy）（非特許文献２参照）の収容を鑑みたビットレートになっている。現在では、Ethernet（登録商標）の爆発的な普及によりEthernet（登録商標）の収容を鑑みたＯＴＵ４（１００Ｇ）のビットレートが新たに規定された。
また、ＳＤＨやEthernet（登録商標）に加えFiber ChannelやＳＤＩ（Serial Digital Interface）、ＣＰＲＩ（Common Public Radio Interface）といった新たなクライアント信号の収容に対応したＯＤＵ（Optical Channel Data Unit）Ｆｌｅｘと呼ばれる多重化階梯が新たに規定され、１．２５Ｇ単位のペイロード容量をクライアントに提供することが可能になり、より効率的な収容が可能になった。
【先行技術文献】
【非特許文献】
【０００３】
【非特許文献１】ITU-T Recommendation G.709 “Interfaces for the Optical Transport Network (OTN)”
【非特許文献２】ITU-T Recommendation G.707 “Network node interface for the synchronous digital hierarchy (SDH)”
【非特許文献３】SMPTE 424M “3 Gb/s Signal / Data Serial Interface”
【非特許文献４】ITU-T Recommendation G.8251 “The control of jitter and wander within the optical transport network (OTN)”
【発明の概要】
【発明が解決しようとする課題】
【０００４】
しかしながら、多様なクライアント信号が収容可能になる一方で、クライアント信号の中にはジッタ要求条件が比較的厳しいクライアント信号が存在する。例えば、非圧縮映像信号を扱う第３世代（３Ｇ）ＳＤＩはＳＭＰＴＥ（Society of Motion Picture and Television Engineers）４２４Ｍ（非特許文献３参照）にてインタフェースの規定がなされており、１０［Ｈｚ］から３００［ＭＨｚ］までのジッタジェネレーションをPeak to peakで２ＵＩ以内に抑える必要がある。
【０００５】
一方、従来からのクライアント信号であるＳＤＨのジッタ規定（非特許文献４参照）では、ＳＴＭ−１６信号を例にとると、５［ＫＨｚ］から２０［ＭＨｚ］の観測帯域でジッタジェネレーションを１．５ＵＩ以下に抑えることが求められている。通常、ジッタの要求条件を満たすようＰＬＬ（Phase Locked Loop）内部のＬＰＦ(Low Pass Filter)を狭帯域に設計するが、引き込みまでの時間がかかってしまうのが問題である。
また、クライアント信号の要求条件に合わせたＰＬＬを個別に用意する必要があるため、部品点数が多くなってしまう問題があり、同一のＰＬＬの設計のままでは、クライアント信号の種別によってはジッタ規定を満たすことができない恐れがある。
【０００６】
本発明は、以上の点に鑑みてなされたものであり、ＯＴＮ信号からクライアント信号を取り出す場合に、引き込みまでの時間を変えることなく、同一のＰＬＬを用いてジッタの発生を抑圧し、各種クライアント信号のクロックを精度よく再生するクロック再生装置及びクロック再生方法を提供することを目的とする。またクライアント信号のジッタ要求条件に応じてクロック再生方法を選択し、クライアント信号のジッタ規定を満たすクロック再生方法を提供することを目的とする。
【課題を解決するための手段】
【０００７】
前述した目的を達成するために本発明は、クライアント信号をＯＴＮフレームに収容または多重して伝送し、受信した前記ＯＴＮフレームから、収容または多重された前記クライアント信号を出力する伝送システムにおけるクライアントクロック再生装置であって、前記クライアント信号を前記ＯＴＮフレームに収容または多重して伝送する送信側において、前記クライアント信号のクロックおよびデータを再生する第１の再生部と、前記第１の再生部で再生されたクロックを計測し、前記クロックの周波数情報を生成する周波数情報生成部と、前記クライアント信号をＯＴＮフレームに収容するマッピング処理部と、前記ＯＴＮフレームのオーバヘッドに前記周波数情報を挿入するオーバヘッド挿入部とを備え、受信した前記ＯＴＮフレームから、収容または多重された前記クライアント信号を出力する受信側において、受信した前記ＯＴＮフレームのクロックおよびデータを再生する第２の再生部と、前記ＯＴＮフレームのオーバヘッドから前記周波数情報を取得する周波数情報取得部と、前記周波数情報を用いてクライアント信号のクロックを再生するクライアントクロック再生部と、前記再生されたクライアント信号のクロックを用いて、前記ＯＴＮフレームからクライアント信号を復元するデマッピング処理部と、を備え、前記周波数情報生成部は、予め決められたフレーム数分のＯＴＮフレームのクロックを計測して保持し、前記フレーム数で平均化したクロックをクライアント信号の周波数情報として出力することを特徴とするクライアントクロック再生装置である。また、本発明は、クライアント信号をＯＴＮフレームに収容または多重して伝送し、受信した前記ＯＴＮフレームから、収容または多重された前記クライアント信号を出力する伝送システムにおけるクライアントクロック再生装置であって、前記クライアント信号を前記ＯＴＮフレームに収容または多重して伝送する送信側において、前記クライアント信号のクロックおよびデータを再生する第１の再生部と、前記第１の再生部で再生されたクロックを計測し、前記クロックの周波数情報を生成する周波数情報生成部と、前記クライアント信号をＯＴＮフレームに収容するマッピング処理部と、前記ＯＴＮフレームのオーバヘッドに前記周波数情報を挿入するオーバヘッド挿入部とを備え、受信した前記ＯＴＮフレームから、収容または多重された前記クライアント信号を出力する受信側において、受信した前記ＯＴＮフレームのクロックおよびデータを再生する第２の再生部と、前記ＯＴＮフレームのオーバヘッドから前記周波数情報を取得する周波数情報取得部と、前記周波数情報を用いてクライアント信号のクロックを再生するクライアントクロック再生部と、前記再生されたクライアント信号のクロックを用いて、前記ＯＴＮフレームからクライアント信号を復元するデマッピング処理部と、を備え、前記周波数情報生成部は、予め決められたフレーム数分のＯＴＮフレームのクロックを計測し、計測したクロック数に重みづけ係数を乗算し、前記重みづけされたクロック数の総和を前記フレーム数で除算して前記周波数情報を生成することを特徴とするクライアントクロック再生装置である。
【０００８】
また、本発明は、前記送信側は、前記クライアント信号の種別を識別するクライアント信号識別部と、前記クライアント信号の種別に応じて周波数情報生成機能を切換える周波数情報生成機能切替部と、をさらに備え、前記周波数情報生成部は、クライアント信号の種別に応じて異なる周波数情報生成機能を複数有しており、前記周波数情報生成機能切替部からの切替指示に応じたクライアント信号の種別に対応する周波数情報生成機能によって周波数情報を生成し、前記受信側は、前記ＯＴＮフレームのオーバヘッドからクライアント信号の種別を識別する信号を取得するクライアント信号種別取得部、をさらに備え、前記クライアントクロック再生部は、クライアント信号の種別に応じて異なる周波数情報生成機能を複数有しており、前記クライアント信号種別取得部が取得したクライアント信号の種別に対応する再生機能を用いて再生する、ことを特徴とする。
【０００９】
また、本発明は、前記周波数情報生成部は、クライアントクロックを２分岐し、一方に遅延を与え、他方と位相比較を行うことで周波数情報を取得する遅延検波部、を備えたことを特徴とする。また、本発明は、前記周波数情報生成部は、前記第１の再生部で再生されたクロックと前記ＯＴＮフレームの同期クロックとの位相を比較して周波数情報を生成することを特徴とする。
【００１０】
また、本発明は、クライアント信号をＯＴＮフレームに収容または多重して伝送し、受信した前記ＯＴＮフレームから、収容または多重された前記クライアント信号を出力する伝送システムにおけるクライアントクロック再生装置であって、前記クライアント信号を前記ＯＴＮフレームに収容または多重して伝送する送信側において、前記クライアント信号のクロックおよびデータを再生する第１の再生部と、前記クライアント信号をＯＴＮフレームに収容するマッピング処理部と、を備え、受信した前記ＯＴＮフレームから、収容または多重された前記クライアント信号を出力する受信側において、受信した前記ＯＴＮフレームのクロックおよびデータを再生する第２の再生部と、前記第２の再生部で再生されたクロックを計測し、前記クロックの周波数情報を生成する周波数情報生成部と、前記周波数情報を用いてクライアント信号のクロックを再生するクライアントクロック再生部と、前記再生されたクライアント信号のクロックを用いて、前記ＯＴＮフレームからクライアント信号を復元するデマッピング処理部と、を備え、前記周波数情報生成部は、予め決められたフレーム数分のＯＴＮフレームのクロックを計測して保持し、前記フレーム数で平均化したクロックをクライアント信号の周波数情報として出力することを特徴とするクライアントクロック再生装置である。また、本発明は、クライアント信号をＯＴＮフレームに収容または多重して伝送し、受信した前記ＯＴＮフレームから、収容または多重された前記クライアント信号を出力する伝送システムにおけるクライアントクロック再生装置であって、前記クライアント信号を前記ＯＴＮフレームに収容または多重して伝送する送信側において、前記クライアント信号のクロックおよびデータを再生する第１の再生部と、前記クライアント信号をＯＴＮフレームに収容するマッピング処理部と、
を備え、受信した前記ＯＴＮフレームから、収容または多重された前記クライアント信号を出力する受信側において、受信した前記ＯＴＮフレームのクロックおよびデータを再生する第２の再生部と、前記第２の再生部で再生されたクロックを計測し、前記クロックの周波数情報を生成する周波数情報生成部と、前記周波数情報を用いてクライアント信号のクロックを再生するクライアントクロック再生部と、前記再生されたクライアント信号のクロックを用いて、前記ＯＴＮフレームからクライアント信号を復元するデマッピング処理部と、を備え、前記周波数情報生成部は、予め決められたフレーム数分のＯＴＮフレームのクロックを計測し、計測したクロック数に重みづけ係数を乗算し、前記重みづけされたクロック数の総和を前記フレーム数で除算して前記周波数情報を生成することを特徴とするクライアントクロック再生装置である。
【００１１】
また、本発明は、前記周波数情報生成部は、前記第２の再生部で再生されたクロックと前記ＯＴＮフレームの同期クロックとの位相を比較して周波数情報を生成することを特徴とする。
【００１２】
また、本発明は、クライアント信号をＯＴＮフレームに収容または多重して伝送し、受信した前記ＯＴＮフレームから、収容または多重された前記クライアント信号を出力する伝送システムにおけるクライアントクロック再生方法であって、前記クライアント信号を前記ＯＴＮフレームに収容または多重して伝送する送信側において、前記クライアント信号のクロックおよびデータを再生するステップと、前記再生されたクロックを計測し、前記クロックの周波数情報を生成するステップと、前記クライアント信号をＯＴＮフレームに収容するステップと、前記ＯＴＮフレームのオーバヘッドに前記周波数情報を挿入するステップと、受信した前記ＯＴＮフレームから、収容または多重された前記クライアント信号を出力する受信側において、受信した前記ＯＴＮフレームのクロックおよびデータを再生するステップと、前記ＯＴＮフレームのオーバヘッドから前記周波数情報を取得するステップと、前記周波数情報を用いてクライアント信号のクロックを再生するステップと、
前記再生されたクライアント信号のクロックを用いて、前記ＯＴＮフレームからクライアント信号を復元するステップと、を備え、前記周波数情報を生成するステップでは、予め決められたフレーム数分のＯＴＮフレームのクロックを計測して保持し、前記フレーム数で平均化したクロックをクライアント信号の周波数情報として出力することを特徴とするクライアントクロック再生方法である。また、本発明は、クライアント信号をＯＴＮフレームに収容または多重して伝送し、受信した前記ＯＴＮフレームから、収容または多重された前記クライアント信号を出力する伝送システムにおけるクライアントクロック再生方法であって、前記クライアント信号を前記ＯＴＮフレームに収容または多重して伝送する送信側において、前記クライアント信号のクロックおよびデータを再生するステップと、前記再生されたクロックを計測し、前記クロックの周波数情報を生成するステップと、前記クライアント信号をＯＴＮフレームに収容するステップと、前記ＯＴＮフレームのオーバヘッドに前記周波数情報を挿入するステップと、受信した前記ＯＴＮフレームから、収容または多重された前記クライアント信号を出力する受信側において、受信した前記ＯＴＮフレームのクロックおよびデータを再生するステップと、前記ＯＴＮフレームのオーバヘッドから前記周波数情報を取得するステップと、前記周波数情報を用いてクライアント信号のクロックを再生するステップと、前記再生されたクライアント信号のクロックを用いて、前記ＯＴＮフレームからクライアント信号を復元するステップと、を備え、前記周波数情報を生成するステップでは、予め決められたフレーム数分のＯＴＮフレームのクロックを計測し、計測したクロック数に重みづけ係数を乗算し、前記重みづけされたクロック数の総和を前記フレーム数で除算して前記周波数情報を生成することを特徴とするクライアントクロック再生方法である。
【発明の効果】
【００１３】
本発明では、送信側のクライアントクロック再生装置にてクライアント信号のクロックを測定し、周波数情報を生成してＯＴＮフレームのオーバヘッド（未使用領域）に挿入し受信側に伝送し、受信側のクライアントクロック再生装置では周波数情報を用いてＰＬＬを制御してクライアント信号のクロックを再生する。このため、ＯＴＮフレームの構造を変更することなく、ＰＬＬはそのままの構成で各種クライアントのクロックを精度よく再生することが可能である。
【図面の簡単な説明】
【００１４】
【図１】本発明の実施形態に係る送信側クライアントクロック再生装置の概略機能ブロック構成図である。
【図２】同実施形態に係るＯＴＮフレームのオーバヘッドの構成を示す図である。
【図３】同実施形態に係る受信側クライアントクロック再生装置の概略機能ブロック図である。
【図４】同実施形態に係るデマッピング処理部とクライアントクロック再生部の概略機能ブロック図である。
【図５】本発明の第２の実施形態に係る送信側クライアントクロック再生装置の概略機能ブロック図である。
【図６】同実施形態に係る受信側クライアントクロック再生装置の概略機能ブロック図である。
【図７】本発明の第３の実施形態に係る周波数情報生成部の機能ブロック構成図である。
【図８】同実施形態に係る周波数情報生成部の動作を説明するための図である。
【図９】同実施形態に係る受信側クライアントクロック再生装置の概略機能ブロック図である。
【図１０】同実施形態に係るＯＰＵ  ＯＨの一例を示す図である。
【図１１】本発明の第４の実施形態に係る周波数情報生成部の機能ブロック構成図である。
【図１２】同実施形態に係る周波数情報生成部の動作を説明するための図である。
【図１３】本発明の第５の実施形態に係る周波数情報生成部の機能ブロック構成図である。
【図１４】同実施形態に係る位相比較部の動作を説明するための図である。
【図１５】本発明の第６の実施形態に係る送信側クライアントクロック再生装置の概略機能ブロック図である。
【図１６】同実施形態に係る遅延検波部の動作を説明するための図である。
【図１７】同実施形態に係る遅延検波部の動作を説明するための図である。
【発明を実施するための形態】
【００１５】
以下に、添付図面を参照しながら、本発明の好適な実施形態について詳細に説明する。
【００１６】
図１は、本発明の実施形態に係る送信側クライアントクロック再生装置の概略機能ブロック構成図である。送信側クライアントクロック再生装置１は、クロック・データ再生部１１、マッピング処理部１２、オーバヘッド挿入部１３、周波数情報生成部１４を有する。クロック・データ再生部１１は、クライアント信号のクロックおよびデータを再生する。マッピング処理部１２は、クライアント信号をＯＴＮフレームへ収容する。
【００１７】
周波数情報生成部１４は、クライアント信号の周波数を計測し、周波数情報を生成する。オーバヘッド挿入部１３は、ＯＴＮフレームのオーバヘッド（ＯＨ）を挿入し、周波数情報生成部１４によって生成された周波数情報をオーバヘッド内に格納する。周波数情報生成部１４は、例えばＯＴＮの１フレーム周期に含まれるクライアント信号のビット数をカウントして周波数情報とする。オーバヘッド挿入部１３は、前記周波数情報をＯＴＮフレームのオーバヘッド内に格納する。
【００１８】
図２は、ＯＴＮフレームの構成を示す図である。ＯＴＮフレームは、ＯＴＮ ＯＨ、ＯＤＵ  ＯＨ、ＯＰＵ  ＯＨ、ＯＰＵペイロードから構成される。ＯＰＵペイロードにはクライアント信号が収容される。ＯＰＵ  ＯＨ内のMapping & Concat. specificにはクライアント信号に応じて２〜７バイトのＲＥＳ（Reserved）領域が用意されている。このＲＥＳ領域は未使用バイト（未定義バイト）であり、前記の周波数情報生成部１４によって生成されたクライアント信号の周波数情報は、オーバヘッド挿入部１３によってＲＥＳ領域に格納される。また、ＯＤＵ  ＯＨ内のＲＥＳ領域に格納することも可能である。
【００１９】
ここで、周波数情報の表現方法として、１フレーム中に含まれるクライアント信号のビット数（例えばＯＰＵ３フレームの場合、１，２，３，…，１２１８６４［ビット］）を２進数（01，10，11，…，11101110000001000）に変換し、格納する。ビット数単位で周波数情報を伝送する場合、最大で１７ビットのＯＨ領域を必要とするため、バイト単位で周波数情報を格納し必要なＯＨ領域を低減させることも可能である。例えば、前記のＯＰＵ３フレームの場合、（１，２，３，…，１５２３３［バイト］）を２進数に変換し、（01，10，11，…，11101110000001）とすれば、必要なＯＨ領域は最大で１４ビットとなる。
【００２０】
また、ＯＴＮでは、通常±２０［ｐｐｍ］の周波数偏差を持つクライアント信号を収容することが可能であり、クライアント信号のビットレート公称値からの変化分を周波数情報として格納することも可能である。例えば、ＳＴＭ２５６をＯＰＵ３に収容する場合、１フレーム内に含まれるＳＴＭ２５６信号のビット数は最大で１２０８３７［ビット］(ネットワーク側のクロック周波数偏差が−20ppmでクライアント信号のクロック偏差が＋20ppmの場合)、最小で１２０８２７［ビット］である(ネットワーク側のクロック周波数偏差が＋20ppmでクライアント信号のクロック偏差が−20ppmの場合)。そのため公称値１２０８３２[ビット]を基準に−５，−４，−３，−２，−１，０，１，２，３，４，５［ビット］を２進数に変換し周波数情報として伝達することも可能である。
【００２１】
また、これまではビット数またはバイト数表示で周波数情報を生成していたが、周波数表示で周波数情報を生成することも可能である。例えば、ＯＰＵ３にクライアント信号を収容する場合、１フレーム中に含まれるクライアント信号のビット数が１２０８３７［ビット］の場合、クライアント信号の周波数は３９．８１３１２［Gbit/s］×（１２０８３７／１２０８３２）＝３９．８１４７７［Gbit/s］であり、３９．８１４７７×１０９を２進数に変換し100101000101001001010010110101010000として伝送することが可能である。
【００２２】
また、クライアント信号の周波数偏差が±２０［ｐｐｍ］の場合、最大のビットレートは３９．８１３９２×１０９、最小のビットレートは３９．８１２３２×１０９であるため３９．８１３１２×１０９からの変化量−０．０００７９６×１０９〜０．０００７９６×１０９を２進数011000010011001100110〜111000010011001100110（先頭ビットは「０」がマイナス、「１」がプラスを示す）に変換し、伝送することも可能である。また周波数偏差表示で周波数情報を生成することも可能である。クライアント信号の周波数偏差が±２０ｐｐｍでネットワーク側のクロックの周波数偏差が±２０ｐｐｍの場合、最大の周波数偏差は＋４０ｐｐｍ、最小の周波数偏差は−４０ｐｐｍであるためこれらを２進数0101000〜1101000（先頭ビットは「０」がマイナス、「１」がプラスを示す）に変換し、伝送することも可能である。
また、周波数情報を伝送するビット数は前記ビット数のみではなく、送る周波数情報のビット数を増やして周波数情報の精度を高めることも可能である。
また、後記するように、送信する周波数情報の形式によっても、周波数情報の精度を高めることが可能である。
【００２３】
図３は、受信側クライアントクロック再生装置の機能ブロック構成を示す図である。受信側クライアントクロック再生装置２は、送信側クライアントクロック再生装置１から送信されたＯＴＮ信号を受信し、クライアント信号を再生する。受信側クライアントクロック再生装置２は、クロック・データ再生部２１、周波数情報取得部２２、クライアントクロック再生部２３、デマッピング処理部２４を有する。
【００２４】
クロック・データ再生部２１は、送信側クライアントクロック装置１から受信したＯＴＮフレームのクロックおよびデータを再生する。周波数情報取得部２２は、ＯＴＮフレームのオーバヘッド内に格納されている周波数情報を読み出して取得する。クライアントクロック再生部２３は、周波数情報取得部２２によって読み出された周波数情報をもとにクライアント信号のクロックを再生する。デマッピング処理部２４は、クライアントクロック再生部２３によって再生されたクライアント信号のクロックをもとにＯＴＮフレームからクライアント信号を再生する。
【００２５】
図４は、クライアントクロック再生部２３及びデマッピング処理部２４の機能ブロック構成を示す図である。デマッピング処理部２４は、ＪＣ判定部３１、書き込みアドレス生成部３３、読み出しアドレス生成部３４、使用量モニタ部３５を有する。ＪＣ判定部３１は、ＯＰＵフレーム内のビットがスタッフまたはデータであることを判定する。書き込みアドレス生成部３３は、ＦＩＦＯ（First in First out）４０への書き込みアドレスを生成する。読み出しアドレス生成部３４は、ＦＩＦＯ４０からデータを読み出す際、読み出し位置のアドレスを生成する。使用量モニタ部３５は、ＦＩＦＯ４０内の使用量を監視し、予め決められた閾値を超えた場合に制御信号を出力する。
【００２６】
周波数情報取得部２２は、ＯＴＮフレーム内のオーバヘッド（ＯＨ）から周波数情報を取得し、取得した周波数情報に応じてＰＬＬを制御する。クライアントクロック再生部２３は、位相比較器（ＰＣ：Phase Comparator）３６、電圧制御発振器（ＶＣＯ：Voltage Controlled Oscillator）３７、オーバフローアンダーフロー制御部３８を有する。ＰＣ３６は、入力信号の位相比較をおこなう。ＶＣＯ３７は、クライアント信号のビットレートに対応した周波数を発振する。オーバフローアンダーフロー制御部３８は、使用量モニタ部３５から出力された信号を基に、ＦＩＦＯ４０のオーバフローおよびアンダーフローを抑制するため、ＰＣ３６へ入力されるクロック信号の位相を制御する。
【００２７】
次に、本発明の第２の実施形態について説明する。
図５は、本発明の第２の実施形態における送信側クライアントクロック再生装置１Ａの機能ブロック構成を示す図である。図５に示す送信側クライアントクロック再生装置１Ａは、クロック・データ再生部１１Ａ、マッピング処理部１２Ａ、オーバヘッド挿入部１３Ａ、クライアント信号識別部１５Ａ、周波数情報生成機能切替部１６Ａ、周波数情報生成部１７Ａを有する。クロック・データ再生部１１Ａは、クライアント信号のクロックおよびデータを再生する。マッピング処理部１２Ａは、クライアント信号をＯＴＮフレームへ収容する。オーバヘッド挿入部１３Ａは、ＯＴＮフレームのオーバヘッドの挿入並びに周波数情報をオーバヘッド内に書き込む。クライアント信号識別部１５Ａは、クライアント信号の種別を判断する。周波数情報生成機能切替部１６Ａは、クライアント信号の種別に応じて周波数情報の生成手段を切換える。周波数情報生成部１７Ａは、クライアントの種別に応じた周波数情報生成手段を複数有しており、クライアントの種別に対応する周波数情報生成手段を用いて周波数情報の生成を行う。第１の実施形態との違いは、クライアント信号識別部１５Ａおよび周波数情報生成機能切替部１６Ａを有してある点であり、クライアント信号の種別に応じたクロック再生が可能になる。
【００２８】
クライアント信号識別部１５Ａは、クライアント信号のデータ列からクライアント信号の種別を判断する方法または、伝送装置にインストールされるクライアント信号インタフェースの種別からクライアント信号の種別を判断することが可能である。周波数情報生成機能切替部１６Ａは、クライアント信号の種別に応じて周波数情報生成部１７Ａを切換え、クライアント信号の種別をＯＴＮフレームのオーバヘッド内に格納する。
【００２９】
図６は、第２の実施形態における受信側クライアントクロック再生装置２Ａの機能ブロック構成を示す図である。図６に示す受信側クライアントクロック再生装置２Ａは、クロック・データ再生部２１Ａ、デマッピング処理部２２Ａ、クライアント信号種別取得部２３Ａ、クライアントクロック再生機能切替部２４Ａ、周波数情報取得部２５Ａ、クライアントクロック再生部２６Ａを有する。クロック・データ再生部２１Ａは、送信側クライアントクロック再生装置から出力されるＯＴＮ信号のデータ及びクロックの再生を行う。クライアント信号種別取得部２３Ａは、ＯＴＮフレームのオーバヘッド内に格納されているクライアント信号種別情報を取得する。クライアントクロック再生機能切替部２４Ａは、クライアント信号種別取得部２３Ａによって取得されたクライアント信号種別情報からクライアントクロック再生部２６Ａの処理を切換える。周波数情報取得部２５Ａは、ＯＴＮフレームのオーバヘッド内に格納されている周波数情報を読み出して取得する。クライアントクロック再生部２６Ａは、周波数情報を元にクライアント信号のクロックの再生を行う再生機能を、クライアント信号種別情報毎に有しており、周波数情報取得部２５Ａによって読み出された周波数情報に対応する再生機能を用いて再生する。デマッピング処理部２２Ａは、再生されたクライアント信号のクロックを元にＯＴＮフレームからクライアント信号の再生を行う。
【００３０】
次に、本発明の第３の実施形態について説明する。
図７は、本発明の第３の実施形態における周波数情報生成部の機能ブロック構成の概略を示す図である。図７に示す周波数情報生成部４４は、図１に示す送信側クライアントクロック再生装置１における周波数情報生成部１４に相当する。周波数情報生成部４４は、クロックカウンタ５１と周波数情報平均処理部５２を有する。クロックカウンタ５１はクライアント信号のクロックをカウントする。周波数情報平均処理部５２は、過去Ｎフレームにわたりカウントしたクロック数を保持し、それらの平均値を出力する。即ち、図１に示す周波数情報生成部１４と周波数情報生成部４４との相違点は、クロックカウンタ５１で計測されたクロックを過去Ｎフレームにわたり平均化して出力する点である。
【００３１】
送信側クライアントクロック再生装置１に入力されるクライアント信号の周波数偏差は、時間的に一定ではなくて、ゆっくりとした周期で変換することがある。そのため、平均化して周波数情報を生成することにより、クライアント信号の周波数偏差が変化した場合、急峻な変化を抑え精度良く周波数情報を生成することが可能になる。
【００３２】
図８は、周波数情報生成部４４の動作を説明するための図である。フレーム周期パルス発生部５３は、ＯＴＮフレームの1周期に相当するパルスを生成する。クロックカウンタ５１では、フレーム周期パルス発生部５３から出力されるパルスをトリガに、クライアント信号のクロックを計測する。クロックカウンタ５１は、１フレーム分のクロック（ＭＮビット、Ｎ＝１，…，ｎ）を計測したのち、計測した値を周波数情報平均処理部５２に出力する。周波数情報平均処理部５２は、ＦＩＦＯで逐次新しい入力をＮフレーム分保持し、平均化した値（（Ｍ１＋Ｍ２＋…＋Ｍｎ）÷Ｎ）を周波数情報として出力する。
【００３３】
周波数情報は、前記の第１の実施形態と同様、ビット単位、バイト単位またはクライアント信号の周波数公称値からのずれなどに変換して伝送することが可能である。小数点以下の情報は予め有効桁を決めておくことで、伝送が可能であり、例えばＮ＝３のフレームで１２１８５５［ビット］、１２１８５６［ビット］、１２１８５５［ビット］がカウントされた場合、３フレーム分の平均値は「１２１８５５．３３３３３…」であり２進数に変換した場合の小数点の有効桁を４にしたとき、平均値「１２１８５５．３３３３３…」を２進数「11101101111111111.0001」に変換して伝送することが可能である。
【００３４】
また、送信側クライアントクロック再生装置１に周波数情報生成部４４を具備するとしたが、受信側クライアントクロック再生装置に具備してもよい。
図９は、周波数情報生成部を備えた受信側クライアントクロック再生装置の機能ブロック構成を示す図である。受信側クライアントクロック再生装置８１は、クロック・データ再生部８２、デマッピング処理部８３、周波数情報生成部８５、クライアントクロック再生部８６を有する。
【００３５】
クロック・データ再生部８２は、ＯＴＮフレームのクロックおよびデータを再生する。デマッピング処理８３は、データかスタッフデータかを判定するＪＣ処理を行うＪＣ判定部８４を有し、ＯＴＮフレームからクライアント信号を復元する。周波数情報生成部８５は、ＪＣ判定部８４のＪＣ処理の結果から周波数情報を生成する。クライアントクロック再生部８６は、周波数情報取得部８５から得られた周波数情報をもとにクライアント信号のクロックを再生する。
【００３６】
受信側に周波数情報生成部８５を具備する場合、ＪＣ処理からクライアント信号の周波数を計測する。ＪＣ処理に用いるＮＪＯ（Negative Justification Opportunity）、ＰＪＯ（Positive Justification Opportunity）はＯＰＵペイロード内にクライアント信号がいくつ含まれているかを示しており、ＪＣ処理を用いて受信側のみで周波数情報を生成することが可能である。図１０は、ＣＢＲ２Ｇ５、ＣＢＲ１０Ｇ、ＣＢＲ４０Ｇの信号を収容する際のＯＰＵ  ＯＨ、及びＪＣバイトとＮＪＯ、ＰＪＯバイトとの関係を示す図である。
【００３７】
ＪＣ判定部８４は、クライアント信号の周波数偏差に応じてフレーム毎にＪＣ処理を行う。ＪＣバイトにはＮＪＯ、ＰＪＯバイトをデータ或いはスタッフとして取り扱うのかが示されており、例えば「ＪＣ＝０１」の場合ＮＪＯ、ＰＪＯバイトがデータであることが分かるため、１フレーム内に含まれるクライアント信号のバイト数は１５２９７バイトであると判断することができる。こうして得られたバイト数を基に前記平均処理にて周波数情報を生成することができる。
なお、送信側で周波数情報を生成する場合には、より精度の高い周波数情報を転送することが可能である。
【００３８】
次に、本発明の第４の実施形態について説明する。
図１１は、第４の実施形態における周波数情報生成部の機能ブロック構成図である。周波数情報生成部９１は、クロックカウンタ９２、周波数情報平均処理部９３、重み付け処理部９４を有する。クロックカウンタ９２は、クロックパルスをカウントする。重み付け処理部９４は、クロックカウンタ９２でカウントされた値に重みづけを行う。周波数情報平均処理部９３は、重み付け処理部９４によって重み付けされた値を平均化してクライアント信号の周波数情報を生成する。前記の図１に示す周波数情報生成部１４、図７に示す周波数情報生成部４４との相違点は、Ｎフレーム保持しているクロックカウンタ９２の値に重みづけを行い、それらを平均化して周波数情報を生成することである。
【００３９】
図１２は、周波数情報生成部９１の動作を説明するための図である。フレーム周期パルス発生部９５は、ＯＴＮフレームの１周期に相当するパルスを生成する。クロックカウンタ９２では、フレーム周期パルス発生部９５から出力されるパルスをトリガに、クライアント信号のクロックを計測する。クロックカウンタ５１は、計測した１フレーム分のクロック数（ＭＮビット、Ｎ＝１，…，ｎ）を周波数情報平均処理部９３に格納し、過去Ｎフレーム分観測されたクロック数に対して重みづけ係数（ｇ１，ｇ２，…，ｇｎ）を乗算し、平均処理（Ｍ１×ｇ１＋Ｍ２×ｇ２＋…＋Ｍｎ×ｇｎ）／（ｇ１＋ｇ２＋…＋ｇｎ）を行う。重みづけ係数の決定方法は、線形に重みづけ係数を変化させる方法や指数関数で重みづけ係数を変化させる方法などがある。
【００４０】
例えば、線形に重みづけ係数を変化させる方式では、重みづけ係数のステップ幅をΔtとすると、次式のように重みづけ係数を決定する。
ｇＮ＝ｇＮ−１＋Δｔ    …（１）
例えば、４フレーム（Ｎ＝４）分のクロック数を保持し、重みづけ係数をｇ４＝１０、重みづけ係数のステップ幅Δｔ＝２とした場合、ｇ４＝１０、ｇ３＝８、ｇ２＝６、ｇ１＝４であるため、周波数情報は（（４×Ｍ１＋６×Ｍ２＋８×Ｍ３＋１０×Ｍ４）／２８）として導出することができる。
【００４１】
また、指数関数で重みづけ係数を変化させる方法では、観測を始めたフレームを起点にｋフレーム目の周波数情報をｆｋとした場合、
ｆｋ＝  α×ＭＮ ＋ （１−α）×  ｆｋ−１    …（２）
として周波数情報を生成することができる。ここで、αは平滑化係数であり、α＝２／（Ｎ＋１）である。
【００４２】
例えば、周波数情報平均処理部９３は、初期状態でのＮフレーム分のクロック数（Ｍ１，Ｍ２，…，Ｍｎ）を保持し、それらの合計を観測フレーム数Ｎで除算したもの（（Ｍ１＋Ｍ２＋…＋Ｍｎ）／Ｎ）を周波数情報ｆｋとして、次のクロック数が入力されるまで待機する。そして、新たにクロック数が入力された段階で式（２）を用いて周波数情報ｆｋを生成する。以降、周波数情報平均処理部９３は、クロック数ＭＮが更新されるたびに式（２）を用いて周波数情報ｆkを生成する。なお、初期状態ではＮフレーム分のクロックを平均化して周波数情報ｆｋとしているが、前記線形で変化する重みづけ係数を用いて初期の周波数情報ｆkを生成しても構わない。
【００４３】
次に、本発明の第５の実施形態について説明する。
図１３は、第５の実施形態に係る送信側クライアントクロック再生装置の機能ブロック構成図である。送信側クライアントクロック再生装置１０１は、クロック・データ再生部１１１、マッピング処理部１１２、オーバヘッド挿入部１１３、位相比較部１１４、周波数情報生成部１１５を有する。
【００４４】
クロック・データ再生部１１１は、クライアント信号のクロックおよびデータを再生する。マッピング処理部１１２はＯＴＮフレームへクライアント信号を収容する。オーバヘッド挿入部１１３は、ＯＴＮフレームのオーバヘッド（ＯＨ）を挿入する。位相比較部１１４は、クライアント信号のクロックと同期化クロックとの位相差を検出する。周波数情報生成部１１５は、位相比較部１１４からの信号をもとにクライアント信号の周波数情報を生成する。
【００４５】
送信側クライアントクロック再生装置１０１と、前記の送信側クライアントクロック再生装置（図１、図７、図１１）との相違点は、クライアント信号のクロックと同期化クロックとの位相差をもとにクライアント信号の周波数情報を生成する点である。
位相比較器１１４はアナログタイプまたはディジタルタイプのいずれかを用いることが可能である。図１４は、位相比較部の動作を説明するための図である。図１４に示すように、位相比較部１１４は、位相差に応じて複数の閾値を予め決定し、フレーム周期で位相差を検出し、位相差の大きさに応じて周波数情報を生成する。
【００４６】
位相比較器１１４を用いることにより、１ビットステップ以下の周波数情報を生成することが可能であるため、精度の良い周波数情報を生成することが可能になる。
例えば、位相差の検出を１／２ＵＩ（＝１ビットの２分の１）ステップに設定した場合、周波数情報は（…、−１、−１／２、０、１／２、１、…）とし、これらを２進数に変換し伝送する方法や１／２ＵI単位であることを送受信端で予め決めておくことで、（…、−２、−１、０、１、２、…）と規格化してこれらを２進数に変換し伝送することも可能である。
【００４７】
次に、本発明の第６の実施形態について説明する。
図１５は、第６の実施形態における送信側クライアントクロック再生装置２０１の機能ブロック構成図である。送信側クライアントクロック再生装置２０１にはクロック・データ再生部２１１、マッピング処理部２１２、オーバヘッド処理部２１３、遅延検波部２１４、周波数情報生成部２１５を有する。クロック・データ再生部２１１は、受信したクライアント信号のデータ並びにクロックの再生を行う。遅延検波部２１４は、再生されたクライアント信号のクロックの遅延検波を行う。マッピング処理部２１２は、ＯＴＮフレームへクライアント信号を収容する。周波数情報生成部２１５は、遅延検波部より出力されるデータを元に周波数情報を生成する。オーバヘッド挿入部２１３は、ＯＴＮフレームを挿入し、周波数情報生成部２１５から出力される周波数情報をオーバヘッド内に格納する。上述した実施形態における送信側クライアントクロック再生装置との相違点は、クライアント信号のクロックを遅延検波し周波数情報を取得する点である。
【００４８】
図１６は、遅延検波部２１４の処理の流れを示す機能ブロック図である。図１６に示す遅延検波部２１４は、特定の遅延を与える遅延処理部２１４１、２入力の位相比較を行う位相比較部２１４２を有する。遅延検波部２１４内でクライアント信号のクロックは、２分岐され、一方は位相比較器２１４２に入力され、もう一方は遅延処理部２１４１を経て位相比較器２１４２に入力される。遅延処理部２１４１は、クライアント信号のクロックに特定の遅延を与えて出力する。クライアント信号のクロック周波数の公称値が既知の場合、位相比較器２１４２後の出力が０になるように遅延処理部２１４１で遅延を与えることで、周波数の変化に応じて位相比較器２１４２後の出力が変化する。周波数のずれが大きいほど位相比較器２１４２からの出力が高くなるため、出力電圧をモニタすることによって周波数情報を検出することができる。
【００４９】
図１７は、位相検波部２１４Ａの別形態を説明する図であり、可変遅延処理部２１４５の遅延量をもとに周波数情報を生成する点が図１６の第６の実施形態との違いである。図１７に示す遅延検波部２１４Ａは、特定の遅延を与える可変遅処理部２１４５、２入力の位相比較を行う位相比較器２１４６を有する。クライアントクロックは、遅延検波部２１４Ａ内で２分岐され、一方は位相比較器へ入力され、もう一方は可変遅延処理部２１４５を経て位相比較器２１４６に入力される。位相比較器２１４６からの出力を可変遅延処理部２１４５にフィードバックする。可変遅延処理部２１４５ではフィードバックされる信号の出力が０になるように遅延量を調整する。フィードバックされる信号の出力が０になった時点で遅延量を周波数情報として出力する。周波数に応じて位相比較器２１４６から出力される信号が０になる遅延量は一意に決定されるため、本構成で周波数情報を検出することが可能であり、本構成を用いた場合クライアント信号のクロックの周波数が既知出ない場合でも適用することが可能である。なお、クライアント信号のクロックのみではなく、同期クロックの周波数情報も同様の構成を用いて検出することが可能である。またクライアント信号のクロック周波数情報と同期クロックの周波数情報を合わせて伝達することが可能である。
【００５０】
なお、上述した各実施形態を組み合わせるようにしてもよい。
【符号の説明】
【００５１】
１、１Ａ、１０１、２０１………送信側クライアントクロック再生装置
２、２Ａ、８１………受信側クライアントクロック再生装置
１１、１１Ａ、２１１………クロック・データ再生部
１２、１２Ａ、２１２………マッピング処理部
１３、１３Ａ、２１３………オーバヘッド挿入部
１４、１７Ａ、４４、９１、２１５………周波数情報生成部
１５Ａ………クライアント信号識別部
１６Ａ………周波数情報生成機能切替部
２１、２１Ａ………クロック・データ再生部
２２、２２Ａ………周波数情報取得部
２３Ａ………クライアント信号種別取得部
２４Ａ………クライアントクロック再生機能切替部
２３、２６Ａ………クライアントクロック再生部
２４………デマッピング処理部
２５Ａ………周波数情報取得部
２１４………遅延検波部
２１４１………遅延処理部
２１４２、２１４６………位相比較器
２１４５………可変遅延処理部
【図１】
0005461222.tif 000002
【図２】
0005461222.tif 000003
【図３】
0005461222.tif 000004
【図４】
0005461222.tif 000005
【図５】
0005461222.tif 000006
【図６】
0005461222.tif 000007
【図７】
0005461222.tif 000008
【図８】
0005461222.tif 000009
【図９】
0005461222.tif 000010
【図１０】
0005461222.tif 000011
【図１１】
0005461222.tif 000012
【図１２】
0005461222.tif 000013
【図１３】
0005461222.tif 000014
【図１４】
0005461222.tif 000015
【図１５】
0005461222.tif 000016
【図１６】
0005461222.tif 000017
【図１７】
0005461222.tif 000018